【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
画像とその画像の撮影情報を含む画像ファイルを記憶する画像記憶手段と、
外部から画像ファイルを読み込む画像入力手段と、
前記画像記憶手段に記憶されている画像ファイルから所望の画像ファイルを検索する検索手段とを有する画像管理装置で実行する画像検索プログラムであって、
前記画像記憶手段に記憶されている画像ファイルを複数選択する画像選択ステップと、
前記画像選択ステップで選択した各画像ファイルと関連付けられた撮影情報を抽出する撮影情報抽出ステップと、
前記撮影情報抽出ステップで抽出した撮影情報の分布範囲を算出する算出ステップと、
前記算出ステップで算出した結果をもとに、前記撮影情報の類似範囲を決定する範囲決定ステップと、
前記範囲決定ステップで決定された撮影情報の類似範囲にキーワードを対応させるキーワード対応ステップと、
前記キーワードとこのキーワードに対応付けられた前記撮影情報の類似範囲を記憶するキーワード記憶ステップと、
前記画像記憶手段に記憶されている画像ファイルに対して、当該画像の撮影情報が前記キーワードに対応する類似範囲に入るか否かを判定する判定ステップと、
前記判定ステップで、当該撮影情報が前記キーワード記憶ステップで記憶されたキーワードに対応する類似範囲に入っていると判定された場合には、当該画像ファイルにそのキーワードを付与するキーワード付与ステップと
をコンピュータに実行させるためのプログラム。
【請求項２】
前記キーワード記憶ステップで記憶されているキーワードを一覧表示するキーワード表示ステップと、
前記キーワード表示ステップで表示されているキーワードを選択するキーワード選択ステップと、
前記キーワード選択ステップで選択したキーワードが付与された画像ファイルを検索する検索ステップと
を更に有することを特徴とする請求項１に記載のプログラム。
【請求項３】
前記画像記憶手段に記憶されている画像ファイルを選択する第２の画像選択ステップと、
前記第２の画像選択ステップで選択した画像ファイルに付与されたキーワードを特定するキーワード特定ステップと、
前記キーワード特定ステップで特定したキーワードと同一のキーワードが付与された画像ファイルを検索する検索ステップと
を有することを特徴とする請求項１に記載のプログラム。
【請求項４】
前記画像入力手段で画像ファイルを読み込むたびに、当該画像ファイルに対して、前記判定ステップ及び前記キーワード付与ステップを実行し、付与されたキーワードとその画像ファイルとを前記記憶手段に記憶する管理情報記憶ステップを更に有することを特徴とする請求項１に記載のプログラム。
【請求項５】
前記撮影情報は、Ｅｘｉｆ形式の画像ファイルに記憶されている情報であることを特徴とする請求項１に記載のプログラム。
【請求項６】
画像とその画像の撮影情報を含む画像ファイルを記憶する画像記憶手段と、
外部から画像ファイルを読み込む画像入力手段と、
前記画像記憶手段に記憶されている画像ファイルから所望の画像ファイルを検索する検索手段とを有する画像管理装置で実行する画像検索プログラムを記録した記録媒体であって、
前記画像記憶手段に記憶されている画像ファイルを複数選択する画像選択ステップと、
前記画像選択ステップで選択した各画像ファイルと関連付けられた撮影情報を抽出する撮影情報抽出ステップと、
前記撮影情報抽出ステップで抽出した撮影情報の分布範囲を算出する算出ステップと、
前記算出ステップで算出した結果をもとに、前記撮影情報の類似範囲を決定する範囲決定ステップと、
前記範囲決定ステップで決定された撮影情報の類似範囲にキーワードを対応させるキーワード対応ステップと、
前記キーワードとこのキーワードに対応付けられた前記撮影情報の類似範囲を記憶するキーワード記憶ステップと、
前記画像記憶手段に記憶されている画像ファイルに対して、当該画像の撮影情報が前記キーワードに対応する類似範囲に入るか否かを判定する判定ステップと、
前記判定ステップで、当該撮影情報が前記キーワード記憶ステップで記憶されたキーワードに対応する類似範囲に入っていると判定された場合には、当該画像ファイルにそのキーワードを付与するキーワード付与ステップと
をコンピュータに実行させるためのプログラムを記録した記録媒体。
【請求項７】
画像とその画像の撮影情報を含む画像ファイルを記憶する画像記憶手段と、
外部から画像ファイルを読み込む画像入力手段と、
前記画像記憶手段に記憶されている画像ファイルから所望の画像ファイルを検索する検索手段とを有する画像管理装置の画像検索方法であって、
前記画像記憶手段に記憶されている画像ファイルを複数選択する画像選択ステップと、
前記画像選択ステップで選択した各画像ファイルと関連付けられた撮影情報を抽出する撮影情報抽出ステップと、
前記撮影情報抽出ステップで抽出した撮影情報の分布範囲を算出する算出ステップと、
前記算出ステップで算出した結果をもとに、前記撮影情報の類似範囲を決定する範囲決定ステップと、
前記範囲決定ステップで決定された撮影情報の類似範囲にキーワードを対応させるキーワード対応ステップと、
前記キーワードとこのキーワードに対応付けられた前記撮影情報の類似範囲を記憶するキーワード記憶ステップと、
前記画像記憶手段に記憶されている画像ファイルに対して、当該画像の撮影情報が前記キーワードに対応する類似範囲に入るか否かを判定する判定ステップと、
前記判定ステップで、当該撮影情報が前記キーワード記憶ステップで記憶されたキーワードに対応する類似範囲に入っていると判定された場合には、当該画像ファイルにそのキーワードを付与するキーワード付与ステップと
を備えたことを特徴とする画像検索方法。
【請求項８】
画像とその画像の撮影情報を含む画像ファイルを記憶する画像記憶手段と、
外部から画像ファイルを読み込む画像入力手段と、
前記画像記憶手段に記憶されている画像ファイルから所望の画像ファイルを検索する検索手段とを有する画像検索装置であって、
前記画像記憶手段に記憶されている画像ファイルを複数選択する画像選択手段と、
前記画像選択手段が選択した各画像ファイルと関連付けられた撮影情報を抽出する撮影情報抽出手段と、
前記撮影情報抽出手段が抽出した撮影情報の分布範囲を算出する算出手段と、
前記算出手段が算出した結果をもとに、前記撮影情報の類似範囲を決定する範囲決定手段と、
前記範囲決定手段が決定した撮影情報の類似範囲にキーワードを対応させるキーワード対応手段と、
前記キーワードとこのキーワードに対応付けられた前記撮影情報の類似範囲を記憶するキーワード記憶手段と、
前記画像記憶手段が記憶している画像ファイルに対して、当該画像の撮影情報が前記キーワードに対応する類似範囲に入るか否かを判定する判定手段と、
前記判定手段が、当該撮影情報が前記キーワード記憶手段が記憶したキーワードに対応する類似範囲に入っていると判定した場合には、当該画像ファイルにそのキーワードを付与するキーワード付与手段と
を備えたことを特徴とする画像検索装置。
【手続補正２】
【補正対象書類名】明細書
【補正対象項目名】０００７
【補正方法】変更
【補正の内容】
【０００７】
上記課題を解決するための、本発明に係る請求項１に記載の画像検索プログラムは、画像とその画像の撮影情報を含む画像ファイルを記憶する画像記憶手段と、外部から画像ファイルを読み込む画像入力手段と、前記画像記憶手段に記憶されている画像ファイルから所望の画像ファイルを検索する検索手段とを有する画像管理装置で実行する画像検索プログラムであって、前記画像記憶手段に記憶されている画像ファイルを複数選択する画像選択ステップと、前記画像選択ステップで選択した各画像ファイルと関連付けられた撮影情報を抽出する撮影情報抽出ステップと、前記撮影情報抽出ステップで抽出した撮影情報の分布範囲を算出する算出ステップと、前記算出ステップで算出した結果をもとに、前記撮影情報の類似範囲を決定する範囲決定ステップと、前記範囲決定ステップで決定された撮影情報の類似範囲にキーワードを対応させるキーワード対応ステップと、前記キーワードとこのキーワードに対応付けられた前記撮影情報の類似範囲を記憶するキーワード記憶ステップと、前記画像記憶手段に記憶されている画像ファイルに対して、当該画像の撮影情報が前記キーワードに対応する類似範囲に入るか否かを判定する判定ステップと、前記判定ステップで、当該撮影情報が前記キーワード記憶ステップで記憶されたキーワードに対応する類似範囲に入っていると判定された場合には、当該画像ファイルにそのキーワードを付与するキーワード付与ステップとをコンピュータに実行させる。
【手続補正３】
【補正対象書類名】明細書
【補正対象項目名】００１２
【補正方法】変更
【補正の内容】
【００１２】
また、本発明に係る請求項６記載の記録媒体は、画像とその画像の撮影情報を含む画像ファイルを記憶する画像記憶手段と、外部から画像ファイルを読み込む画像入力手段と、前記画像記憶手段に記憶されている画像ファイルから所望の画像ファイルを検索する検索手段とを有する画像管理装置で実行する画像検索プログラムを記録した記録媒体であって、前記画像記憶手段に記憶されている画像ファイルを複数選択する画像選択ステップと、前記画像選択ステップで選択した各画像ファイルと関連付けられた撮影情報を抽出する撮影情報抽出ステップと、前記撮影情報抽出ステップで抽出した撮影情報の分布範囲を算出する算出ステップと、前記算出ステップで算出した結果をもとに、前記撮影情報の類似範囲を決定する範囲決定ステップと、前記範囲決定ステップで決定された撮影情報の類似範囲にキーワードを対応させるキーワード対応ステップと、前記キーワードとこのキーワードに対応付けられた前記撮影情報の類似範囲を記憶するキーワード記憶ステップと、前記画像記憶手段に記憶されている画像ファイルに対して、当該画像の撮影情報が前記キーワードに対応する類似範囲に入るか否かを判定する判定ステップと、前記判定ステップで、当該撮影情報が前記キーワード記憶ステップで記憶されたキーワードに対応する類似範囲に入っていると判定された場合には、当該画像ファイルにそのキーワードを付与するキーワード付与ステップとをコンピュータに実行させるためのプログラムを記録した。
【手続補正４】
【補正対象書類名】明細書
【補正対象項目名】００１３
【補正方法】変更
【補正の内容】
【００１３】
また、本発明に係る請求項７記載の画像検索方法は、画像とその画像の撮影情報を含む画像ファイルを記憶する画像記憶手段と、外部から画像ファイルを読み込む画像入力手段と、前記画像記憶手段に記憶されている画像ファイルから所望の画像ファイルを検索する検索手段とを有する画像管理装置の画像検索方法であって、前記画像記憶手段に記憶されている画像ファイルを複数選択する画像選択ステップと、前記画像選択ステップで選択した各画像ファイルと関連付けられた撮影情報を抽出する撮影情報抽出ステップと、前記撮影情報抽出ステップで抽出した撮影情報の分布範囲を算出する算出ステップと、前記算出ステップで算出した結果をもとに、前記撮影情報の類似範囲を決定する範囲決定ステップと、前記範囲決定ステップで決定された撮影情報の類似範囲にキーワードを対応させるキーワード対応ステップと、前記キーワードとこのキーワードに対応付けられた前記撮影情報の類似範囲を記憶するキーワード記憶ステップと、前記画像記憶手段に記憶されている画像ファイルに対して、当該画像の撮影情報が前記キーワードに対応する類似範囲に入るか否かを判定する判定ステップと、前記判定ステップで、当該撮影情報が前記キーワード記憶ステップで記憶されたキーワードに対応する類似範囲に入っていると判定された場合には、当該画像ファイルにそのキーワードを付与するキーワード付与ステップとを備えた。
【手続補正５】
【補正対象書類名】明細書
【補正対象項目名】００１４
【補正方法】変更
【補正の内容】
【００１４】
また、本発明に係る請求項８記載の画像検索装置は、画像とその画像の撮影情報を含む画像ファイルを記憶する画像記憶手段と、外部から画像ファイルを読み込む画像入力手段と、前記画像記憶手段に記憶されている画像ファイルから所望の画像ファイルを検索する検索手段とを有する画像検索装置であって、前記画像記憶手段に記憶されている画像ファイルを複数選択する画像選択手段と、前記画像選択手段が選択した各画像ファイルと関連付けられた撮影情報を抽出する撮影情報抽出手段と、前記撮影情報抽出手段が抽出した撮影情報の分布範囲を算出する算出手段と、前記算出手段が算出した結果をもとに、前記撮影情報の類似範囲を決定する範囲決定手段と、前記範囲決定手段が決定した撮影情報の類似範囲にキーワードを対応させるキーワード対応手段と、前記キーワードとこのキーワードに対応付けられた前記撮影情報の類似範囲を記憶するキーワード記憶手段と、前記画像記憶手段が記憶している画像ファイルに対して、当該画像の撮影情報が前記キーワードに対応する類似範囲に入るか否かを判定する判定手段と、前記判定手段が、当該撮影情報が前記キーワード記憶手段が記憶したキーワードに対応する類似範囲に入っていると判定した場合には、当該画像ファイルにそのキーワードを付与するキーワード付与手段とを備えた。
【手続補正６】
【補正対象書類名】明細書
【補正対象項目名】００２４
【補正方法】変更
【補正の内容】
【００２４】
そして処理部１５は、撮影情報抽出部２０、分布・範囲決定部２１、画像検索部２２、キーワード選択部２３及びキーワード検索部２４を備えている。撮影情報抽出部２０は、特定した画像ファイルから画像情報を抽出する。分布・範囲決定部２１は、撮影情報をパラメータとして画像の分布情報を生成し、またその分布情報から特定のグループに属する範囲を決定する。キーワード選択部２３は、キーワードの一覧から特定のキーワードを選択する。キーワード検索部２４は、特定のキーワードを持つ画像ファイルを特定する。画像検索部２２は、特定の画像ファイルを検索する。
【手続補正７】
【補正対象書類名】明細書
【補正対象項目名】００７８
【補正方法】変更
【補正の内容】
【００７８】
１０…画像検索装置、１１…中央処理装置、１２…表示部、１３…入出力部、１５…処理部、１６…記憶部、１７…処理部、２０…撮影情報抽出部、２１…分析・範囲決定部、２２…画像検索部、２３…キーワード選択部、２４…キーワード検索部、２７…画像記憶部、２８…キーワード記憶部、２９…管理データ記憶部。
【手続補正８】
【補正対象書類名】図面
【補正対象項目名】図３
【補正方法】変更
【補正の内容】
【図３】
2006004157.tif 000001